(57)【特許請求の範囲】
【請求項１】
島設備に取り付けられる機枠と、該機枠に開閉可能に設けられ、遊技盤を着脱可能に取り付ける前面枠と、該前面枠に設けられて横方向の振動を敏感に検出できる振動検出器と、を備えた遊技機において、
前記機枠と相対的に前面枠に生じた縦方向の振動を横方向の振動に変換して前記振動検出器に作用させる振動変換手段を設けたことを特徴とする遊技機。
【請求項２】
前記振動変換手段は、
前記前面枠に設けられ、前記振動検出器を左右方向へ移動可能に保持する振動検出器保持体と、
前記機枠に設けられ、前記振動検出器保持体の当接面が当接する被当接面を備えた当接部材と、
からなり、
前記当接部材の被当接面には、左右方向の突出量が上下方向へ連続的に変化する凹凸部を形成した振動変換部を設け、一方、前記振動検出器保持体の当接面には、振動変換部の凹部に嵌入し得る突起状の受振突部を設け、
前記機枠に対して前面枠が縦方向に振動して振動検出器保持体と当接部材とに相対的な縦移動が生じ、振動検出器保持体の当接面が当接部材の被当接面に当接しつつ上下動すると、振動検出器保持体の受振突部が当接部材の振動変換部の凹凸で左右方向へ移動しつつ上下動することにより、振動検出器保持体に保持された振動検出器に横方向の振動を与えるようにしたことを特徴とする請求項１に記載の遊技機。
【請求項３】
前記前面枠は、少なくとも、
遊技盤が取り付けられる前面枠本体と、
前記前面枠本体の前面側に開閉可能に設けられ、遊技に供する遊技球を貯留する球貯留皿を備えた開閉部材と、
を備え、
前記開閉部材の軸着側裏面に前記振動検出器保持体を設け、
前記前面枠本体に設けた振動検出器保持体導入開口を介して前記振動検出器保持体を裏面側に臨ませ、機枠に設けた当接部材の被当接面に振動検出器保持体の当接面を当接させるようにしたことを特徴とする請求項２に記載の遊技機。
【発明の詳細な説明】
【技術分野】
【０００１】
本発明は、島設備に取り付けられる機枠と、該機枠に開閉可能に設けられ、遊技盤を着脱可能に取り付ける前面枠と、該前面枠に設けられて横方向の振動を敏感に検出できる振動検出器と、を備えた遊技機に関する。
【背景技術】
【０００２】
従来、遊技球を用いた弾発遊技を行える遊技機（例えば、パチンコ遊技機、雀球遊技機、アレンジボール遊技機、パチスロ遊技機など）においては、弾発した遊技球が遊技領域に到達して下方へ流下して行く過程で、種々設けられた入賞領域の何れかに入賞すると入賞領域に対応して定めらた賞が遊技者に付与され、何れの入賞領域にも入賞せずに回収されると遊技者に賞が付与されないのが基本的な遊技内容である。
【０００３】
このため、特別な賞が付与される大当たりを発生させようと、心無い遊技者がパチンコ機を叩いたり揺すったりして、不正に大当たりを発生させる不正行為が行われることがあり、このような不正行為を検出して種々の対処を行えるように、機械式振動センサ構造の振動検出器を遊技機に設けた遊技機が提案されている（例えば、特許文献１を参照）。
【０００４】
【特許文献１】特開昭６２−２２１３８０号公報
【発明の開示】
【発明が解決しようとする課題】
【０００５】
しかしながら、前記特許文献１に記載された遊技機においては、物理的衝撃による球体の変位から振動を検出する機械式振動センサを用いることから、横方向の振動は敏感に検出できるものの、上下方向の振動に対する感度が悪く、パチンコ機に対する不正をを必ずしも的確に検出できているとは言えなかった。
【０００６】
すなわち、近来の遊技機では、遊技盤に設けられる遊技装置の内部構造が複雑化しており、左右方向や前後方向に振動を与えるだけでなく、上下方向にも振動を与える不正（例えば、浅い窪み状の球受け穴が外周に複数設けられた回転体の外れ穴に入った遊技球を上下方向への振動により穴から排出させ、当たり穴に入賞させるような不正）が行われているが、このような不正に与えられた振動を従来の振動検出器では的確に検出できず、不正行為が看過されていたのである。
【０００７】
なお、振動センサとしては振動方向に依存しない高感度の製品も市場にあるが、大量の遊技球等が還流し大勢の遊技客で賑わう遊技店においては、様々な振動が常時発生しており、特定の遊技機に対して意図的に加えられた振動か否かを振動センサのセンサ出力から判定するには、判定条件の設定が難しく、誤判定によって多くの遊技客に不快な思いをさせてしまう可能性もある。また、高感度のセンサを遊技機に搭載すると、過剰なコストアップになってしまうという点も問題である。
【０００８】
そこで、本発明は、上記問題点に鑑み、横方向の振動を敏感に検出できる簡易構造で廉価な振動検出器を用いて、外部から加えられた縦方向の振動を的確に検出できる遊技機の提供を目的とする。
【課題を解決するための手段】
【０００９】
上記の課題を解決するために、請求項１に係る発明は、島設備に取り付けられる機枠と、該機枠に開閉可能に設けられ、遊技盤を着脱可能に取り付ける前面枠と、該前面枠に設けられて横方向の振動を敏感に検出できる振動検出器と、を備えた遊技機において、前記機枠と相対的に前面枠に生じた縦方向の振動を横方向の振動に変換して前記振動検出器に作用させる振動変換手段を設けたことを特徴とする。
【００１０】
また、請求項２に係る発明は、前記請求項１に記載の遊技機において、前記振動変換手段は、前記前面枠に設けられ、前記振動検出器を左右方向へ移動可能に保持する振動検出器保持体と、前記機枠に設けられ、前記振動検出器保持体の当接面が当接する被当接面を備えた当接部材と、からなり、前記当接部材の被当接面には、左右方向の突出量が上下方向へ連続的に変化する凹凸部を形成した振動変換部を設け、一方、前記振動検出器保持体の当接面には、振動変換部の凹部に嵌入し得る突起状の受振突部を設け、前記機枠に対して前面枠が縦方向に振動して振動検出器保持体と当接部材とに相対的な縦移動が生じ、振動検出器保持体の当接面が当接部材の被当接面に当接しつつ上下動すると、振動検出器保持体の受振突部が当接部材の振動変換部の凹凸に沿って左右方向へ移動しつつ上下動することにより、振動検出器保持体に保持された振動検出器に横方向の振動を与えるようにしたことを特徴とする。
【００１１】
また、請求項３に係る発明は、前記請求項２に記載の遊技機において、前記前面枠は、少なくとも、遊技盤が取り付けられる前面枠本体と、前記前面枠本体の前面側に開閉可能に設けられ、遊技に供する遊技球を貯留する球貯留皿を備えた開閉部材と、を備え、前記開閉部材の軸着側裏面に前記振動検出器保持体を設け、前記前面枠本体に設けた振動検出器保持体導入開口を介して前記振動検出器保持体を裏面側に臨ませ、機枠に設けた当接部材の被当接面に振動検出器保持体の当接面を当接させるようにしたことを特徴とする。
【発明の効果】
【００１２】
請求項１に係る遊技機によれば、前記機枠と相対的に前面枠に生じた縦方向の振動を横方向の振動に変換して前記振動検出器に作用させる振動変換手段を設けので、外部から加えられた縦方向の振動を横方向の振動として振動検出器に与え、振動検出器はこれを感度の良い横方向の振動として検出することができる。よって、横方向の振動を敏感に検出できる簡易構造で廉価な振動検出器を用いて、外部から加えられた縦方向の振動を的確に検出することが可能となる。
【００１３】
また、請求項２に係る遊技機によれば、前記振動変換手段は、前記前面枠に設けられ、前記振動検出器を左右方向へ移動可能に保持する振動検出器保持体と、前記機枠に設けられ、前記振動検出器保持体の当接面が当接する被当接面を備えた当接部材と、からなり、前記当接部材の被当接面には、左右方向の突出量が一定間隔で変化する凹凸部を上下方向へ連続的に形成した振動変換部を設け、一方、前記振動検出器保持体の当接面には、振動変換部の凹部に嵌入し得る突起状の受振突部を設け、前記機枠に対して前面枠が縦方向に振動して振動検出器保持体と当接部材とに相対的な縦移動が生じ、振動検出器保持体の当接面が当接部材の被当接面に当接しつつ上下動すると、振動検出器保持体の受振突部が当接部材の振動変換部の凹凸に沿って左右方向へ移動しつつ上下動することにより、振動検出器保持体に保持された振動検出器に横方向の振動を与えるようにしたので、簡易な構造で廉価に振動変換手段を構成することができる。
【００１４】
また、請求項３に係る遊技機によれば、前記前面枠は、少なくとも、遊技盤が取り付けられる前面枠本体と、前記前面枠本体の前面側に開閉可能に設けられ、遊技に供する遊技球を貯留する球貯留皿を備えた開閉部材と、を備え、前記開閉部材の軸着側裏面に前記振動検出器保持体を設け、前記前面枠本体に設けた振動検出器保持体導入開口を介して前記振動検出器保持体を裏面側に臨ませ、機枠に設けた当接部材の被当接面に振動検出器保持体の当接面を当接させるようにしたので、遊技者が衝撃を与える可能性の高い開閉部材に振動検出器保持体を設けることで、与えられた振動を振動検出器保持体が直に受けることとなり、また、開閉部材を開閉するために前面枠本体に設ける遊び（寸法上の余裕）と、前面枠を開閉するために機枠に設ける遊びがあるため、当接部材を設けた機枠に対して、振動検出器保持体を設けた開閉部材の移動量が相対的に大きくなり、開閉部材に与えられた縦方向の振動に対する振動検出器の感度を一層高めることができる。
【発明を実施するための最良の形態】
【００１５】
次に、本発明に係る遊技機の実施形態を添付図面に基づき詳細に説明する。
【００１６】
図１に示すのは、弾球遊技を行える遊技機１の正面図で、遊技店の島設備に取り付けられる額縁状の機枠２に対して、前面側に各種の遊技機能部が設けられた前面枠３を開閉可能に設け、該前面枠３は前面枠本体の前面側に透明部材保持枠４と開閉パネル５を各々開閉可能に設けたものである。なお、図１は、前面枠本体から透明部材保持枠４を開放した状態を示し、透明部材保持枠４が保持する透明部材４ａ（透明なガラスや硬質合成樹脂等よりなる板材）を通して前面枠本体に保持された遊技盤６が正面に見える。また、前面枠３としては、透明部材保持枠４の機能を一体に備える開閉部材５を前面枠本体に対して開閉可能な構成としても良い。
【００１７】
前記遊技盤６の遊技領域６ａは、区画部材７によって区画された略円形状の領域で、前記開閉部材５の前面側に設けられた球貯留皿５ａに貯留された遊技球が１個宛て供給される発射装置（図示省略）にて弾発された遊技球が発射球導入路６ｂを介して到達する領域である。この遊技領域６ａには、遊技球の流下状態に変化を与える遊技釘や風車などの流下状態変化付与部材が複数設けられると共に、入賞領域が設けられた種々の入賞具や遊技装置が適宜に配置され、何れの入賞領域にも入賞しなかった遊技球は、アウト口６ｃから回収される。
【００１８】
上述した遊技盤６の遊技領域６ａの略中央部には、複数種類の遊技機能を一体的に設けた大型の中央遊技装置８を配設し、この中央遊技装置８の下方中央部には始動入賞口９１を、この始動入賞口９１の左右両側には各々第１一般入賞口９２および第２一般入賞口９３を配置し、更に、始動入賞口９１の下方でアウト口６ｃの上方には第２変動入賞装置１０を設けた。この第２変動入賞装置は、特別入賞口を開閉板にて閉止して入賞球を受け入れない第１状態と、開閉板の下縁を回動軸として前傾させ上方から流下する遊技球を受け止めて特別入賞口内へ招じ入れる第２状態とに変換可能な入賞装置である。
【００１９】
前記中央遊技装置８は、例えば、第１変動入賞装置８１と変動表示装置８２と振分装置８３を一体的に備える。第１変動入賞装置８１は、左右一対の可動部材が起立して遊技球を入賞させ難い第１状態と、可動部材が左右に傾動して遊技球を入賞させ易い第２状態とに変換可能な入賞装置である。変動表示装置８２は、上記第１変動入賞装置８１に入賞した遊技球が招じ入れられる入賞室の奥側に設けられ、複数の識別図柄や種々の演出動画像を表示可能な表示装置で、変動表示ゲーム（例えば、横並びの３桁の表示列の夫々において、複数の図柄を変換表示させた後に停止表示させ、各桁に停止表示された図柄の配列が特別態様に該当する場合に当たりとなるゲーム）を実行可能である。
【００２０】
また、振分装置８３は、上記第１変動入賞装置８１に入賞した遊技球が招じ入れられる入賞室の底部に設けられ、浅い窪み状の球受け穴が外周に複数設けられた回転体を回転させ、遊技球が入った球受け穴の種別に応じて、特別入賞球又は一般入賞球に振り分けるものである。よって、かかる構成の振分装置８３を備える遊技機１おいては、遊技中に振動を与えることで、振分装置８３の回転体における一般球受け穴に入りそうになった入賞球を、隣の特別球受け穴へ誘導するような不正行為が行われる可能性がある。
【００２１】
ここで、本実施形態に示す遊技機１における遊技の流れを簡単に説明する。遊技者が操作ハンドル１１を操作することで打球発射装置により発射された遊技球が発射球導入路６ｂを経て遊技領域６ａに到達すると、その発射勢に応じて遊技領域６ａを下方へ流下して行き、入賞口９１〜９３に入賞するか、アウト口６ｃから回収される。
【００２２】
ここで、始動入賞口９１へ遊技球が入賞すると、変動表示装置８２による変動表示ゲームが開始され、変動表示ゲームの停止結果態様が予め定めた第１特別停止態様（例えば、停止図柄が「３３３」又は「５５５」）の場合に第１変動入賞装置８１を用いた補助遊技を行い、変動表示ゲームの停止結果態様が予め定めた第２特別停止態様（例えば、停止図柄が「７７７」）の場合に第２変動入賞装置１０を用いた第２特別遊技を行う。第２特別遊技は、例えば、第２変動入賞装置１０の特別入賞口を３０秒間開放する第１条件もしくは特別入賞口に１０個の遊技球が入賞する第２条件（第２変動入賞装置１０内に設けたカウントセンサにて計数する。）の何れかが達成されるまでを１ラウンドとし、これを１６ラウンドまで継続する。
【００２３】
また、第１変動入賞装置８１を比較的短時間（例えば０．５秒間）だけ第２状態に変換する補助遊技において、振分装置８３により特別入賞に振り分けられた入賞球が検出されると、第１変動入賞装置８１を用いた第１特別遊技が開始される。この第１特別遊技は、例えば、第１変動入賞装置８１の開閉部材を１８回間歇的に０．８秒間づつ開放する第１条件もしくは１０個の遊技球が入賞する第２条件（第１変動入賞装置８１に入って下方部の入賞室へ導入される導入路で遊技球を検出するカウントセンサにて計数する。）の何れかが達成されるまでを１ラウンドとし、これを１５ラウンドまで継続する。
【００２４】
しかして、本実施形態に係る遊技機１は、機枠２と相対的に前面枠３に生じた縦方向の振動を横方向の振動に変換して振動検出器に作用させる振動変換手段として、振動検出器保持体１２と当接部材１３を備えるものとした（図２を参照）。すなわち、上述した補助遊技で振分装置８３における振分状態を大当たりへ誘導するような不正目的で外部から与えられた縦方向の振動を横方向の振動に変えることで、横方向の振動を敏感に検出できる簡易構造で廉価な振動検出器を用いても、外部から加えられた縦方向の振動を的確に検出することが可能となる。
【００２５】
上記振動検出器保持体１２は、前面枠本体の裏面側（遊技盤６の後方）に配置される裏機構枠３１（賞球もしくは貸球として用いるための遊技球を貯留しておく貯留タンクやこの貯留タンクから遊技球を排出する球排出機構のほか、遊技機制御部を構成する各種制御装置が取り付けられる枠体）の一側（例えば、軸着側）下方部に設ける。当接部材１３は、機枠２の一側（前面枠３を軸着する側）である左縦板材２ａの内面側であって、前面枠３が閉止されたときの振動検出器保持体１２に当接し得る位置に設ける。
【００２６】
図３及び図４に示すように、振動検出器保持体１２は、振動検出器１４を左右方向へ移動可能に保持するために、前面枠３に固定保持される取付ベース部材１２１と、振動検出器１４を収容する振動検出器収容空部１２２ａを備える振動検出器取付部材１２２と、振動検出器取付部材１２２を左右方向へ移動可能に収納するカバー部材１２３と、取付ベース１２１と振動検出器取付部材１２２との間に介挿するコイルスプリング等の弾性部材１２４とからなる。
【００２７】
ここで、振動検出器１４の構造を図５に基づき説明する。振動検出器１４は、ケーシング１４１の底に設けた定置板１４２の定置凹部１４２ａに非導電性の球体１４３が嵌まり込む常態においては、球体１４３の上方に配置された導電性の第１接片１４４ａと第２接片１４４ｂとが接触することはないが、ケーシング１４１に外力が作用して、球体１４３が定置凹部１４２ａから抜け出す際には、球体１４３が第１接片１４４ａを上方へ押し上げるために、第１接片１４４ａと第２接片１４４ｂとが接触し、第１端子部１４５ａと第２端子部１４５ｂとが導通するので、第１，第２端子部１４５ａ，１４５ｂ間の導通／非導通で振動センサのＯＮ／ＯＦＦを出力できるのである。
【００２８】
なお、本構成例の振動検出器１４には、例えば、第２接片１４４ｂの上方から先端部１４６ａが当接するようにケーシング１４１の上壁から螺着したネジ等の感度調整部材１４６を設けた。この感度調整部材１４６の先端部１４６ａが第２接片１４４ｂを下方へ押圧する距離を変えることで、常態（非検出時）における第１接片１４４ａと第２接片１４４ｂとの離隔距離を調整し、振動検出器１４を検出状態に変化（第１接片１４４ａと第２接片１４４ｂとを導通）させるために必要な外部振動の強弱を調節するのである。
【００２９】
上記のように構成した振動検出器１４は、取付基板１４ａを介して振動検出器取付部材１２２の前面側から振動検出器収容空部１２２ａ内に収容固定され、振動検出器取付部材１２２と一体的に移動することとなる。この振動検出器取付部材１２２の振動検出器収容空部１２２ａは前後方向に貫通する空部で、遊技機１における一側（前面枠３の軸着側）である左側壁部１２２１の外面（左側面）には当接面１２２ｂを設け、遊技機１の他側（前面枠３の反軸着側）である右側壁部１２２２の対面（右側面）には弾性部材１２４により押圧される受圧面とする。
【００３０】
また、振動検出器取付部材１２２の左側壁部１２２１の上部と右側壁部１２２２の上部とを連結する上壁部１２２３には下方に窪む突出位置規制段部１２２ｃを、同じく、左側壁部１２２１の下部と右側壁部１２２２の下部とを連結する下壁部１２２４には上方に窪む突出位置規制段部１２２ｄを各々形成した。これにより、振動検出器取付部材１２２をカバー部材１２３の取付部材収納空部１２３ａ内に収納した際には、カバー部材１２３の一側（前面枠３の軸着側）に開設した受振開口部１２３ｂの上方および下方に位置する上部規制部１２３１と下部規制部１２３２が各々突出位置規制段部１２２ｃ，１２２ｄに内側から突き当たることで、振動検出器取付部材１２２の左側壁部１２２１がカバー部材１２３の受振開口部１２３ｂより突出可能な最大の突出量が制限される。
【００３１】
なお、カバー部材１２３の取付部材収納空部１２３ａは、振動検出器１４を取り付けた振動検出器取付部材１２２の前後幅と概ね等しいサイズとすることにより、振動検出器取付部材１２２は、取付部材収納空部１２３ａ内で左右方向へだけスライド移動することとなり、前後方向にガタ付いて円滑な側方移動が妨げられることの無いようにしてある。また、振動検出器１４からの検出信号を取り出すための信号線１４ｂは、振動検出器取付部材１２２の側方移動を妨げることがないように、カバー部材１２３に設けた配線挿通孔１２３３を介して引き出すようにした。
【００３２】
取付部材収納空部１２３ａ内に振動検出器取付部材１２２を収納したカバー部材１２３の他側方（前面枠３の反軸着側）である右側開口を取付ベース部材１２１に取り付け固定すると、取付ベース部材１２１の一側面（前面枠３の軸着側の面）である左側面１２１１の略中央上下２箇所に設けた弾性部材保持突部１２１ａ，１２１ａに各々保持された弾性部材１２４，１２４が振動検出器取付部材１２２の右側壁部１２２２の右側面を左側へ押圧する。すなわち、この弾性部材１２４を取付ベース部材１２１と振動検出器取付部材１２２との間に介挿しておくことによって、振動検出器取付部材１２２の左側壁部１２２１がカバー部材１２３の受振開口部１２３ｂより最も突出した状態となる。
【００３３】
上記のようにカバー部材１２３および取付ベース１２１内に収納された振動検出器取付部材１２２が取付部材収納空部１２３ａ内で左右方向へスライド移動する際に生ずる摺動抵抗が小さくなるような素材を採用したり、接触抵抗を低減できるスライドガイド構造を採用したりしておくと共に、弾性部材１２４の弾発力を適宜に設定しておくことで、振動検出器取付部材１２２の当接面１２２ｂを比較的弱い力で押しても振動検出器取付部材１２２を右側へ押し込むことができ、押圧を止めると弾発部材１２４，１２４の復元力により速やかに振動検出器取付部材１２２を元の状態（例えば、振動検出器取付部材１２２の当接面１２２ｂがカバー部材１２３の受振開口部１２３ｂより最も突出した状態）に復帰させることができる。
【００３４】
一方、振動検出器保持体１２の当接面１２２ｂが当接する当接部材１３は、図２および図３に示すように、略薄板状の外観を呈し、振動検出器保持体１２に臨む被当接面１３ａに左右方向（被当接面１３ａに直交する方向）の突出量が一定間隔で変化する凹凸部を上下方向へ連続的に形成した振動変換部１３１を設けてある。本構成例においては、左右方向の断面が三角形状で前後方向の突出量が均一となる微小突起部１３１ａを上下方向に連続的に配置することで、各微小突起部１３１ａ…の最大突出部である尾根状の凸部と、上下に隣接する微小突起部１３１ａの境界部位である溝状の凹部とが交互に上下方向に連続形成されるものとした。
【００３５】
そして、上記のように構成した当接部材１３の被当接面１３ａに当接する振動検出器保持体１２の当接面１２２ｂには、振動変換部１３１の凹部（上下に隣接する微小突起部１３１ａとの境界部位）に嵌入し得る突起状の受振突部１２５を設けてある。本構成例においては、断面が三角形状で前後方向の突出量が均一な受振突起部１２５を適宜間隔を空けて上下２箇所に設けたが、これに限らず、受振突起部１２５は１箇所でも良いし、３箇所以上設けても良い。但し、当接部材１３の振動変換部１３１における微小突起部１３１ａの形成間隔を考慮して、当接面１２２ｂに設けた全ての受振突起部１２５が同時に振動変換部１３１の凹部に嵌入し得る配置間隔で設ける必要がある。
【００３６】
斯く構成した振動検出器保持体１２および当接部材１３からなる振動変換手段を備える遊技機１において、機枠２に対して前面枠３を閉止する際には、前面枠３を閉止方向へ回動させてゆくと、機枠２の左側（軸着側）に設けた振動検出器保持体１２の当接面１２２ｂが前面枠３の左側（軸着側）に設けた当接部材１３の被当接面１３ａへ右側から近づいてゆき、閉止時には振動検出器保持体１２の当接面１２２ｂと当接部材１３の被当接面１３ａとが完全に当接する。
【００３７】
このとき、振動検出器保持体１２内部の弾性部材１２４によって振動検出器保持部材１２２が右方向（前面枠３の軸着側）へ押圧されているので、振動検出器保持体１２の当接面１２２ｂに設けた各受振突部１２５は、当接部材１３の振動変換部１３１における凹部（上下に隣接する２つの微小突起部１３１ａの境界部位）にちょうど嵌入した状態で安定する（図６（ａ）を参照）。なお、本構成例においては、振動検出器保持体１２の弾性部材１２４を「機枠に設けた当接部材の被当接面に当接面が当接するように押圧する当接補助手段」として機能させるものとしたが、当接補助手段は別途設けても良い。
【００３８】
上記のようにして、振動変換手段による振動変換機能が有効となった後、機枠２に対して前面枠３が縦方向に振動して振動検出器保持体１２と当接部材１３とに相対的な縦移動が生じ、振動検出器保持体１２の当接面１２２ｂが当接部材１３の被当接面１３ａに当接しつつ上下動すると、振動検出器保持体１２の受振突部１２５が当接部材１３の振動変換部１３１の凹凸に沿って左右方向へ移動しつつ上下動することにより、振動検出器保持体１２に保持された振動検出器１４に横方向の振動が与えられることとなる。
【００３９】
例えば、図６（ｂ）に示すように、当接部材１３に対して、振動検出器保持体１２が相対的に上方へ移動する場合、振動検出器保持体１２の受振突部１２５が上方へ移動する際に、微小突起部１３１ａの膨出形状に応じて右方向へ移動せざるを得ないため、振動検出器取付部材１２２は弾性部材１２４の付勢に抗して取付部材収納空部１２３ａ内へ押し込まれてゆき、振動検出器保持体１２の受振突部１２５が微小突起部１３１ａの最大膨出部を越えて更に上方移動すると、圧縮された弾性部材１２４の復元力により押圧された振動検出器取付部材１２２は微小突起部１３１ａの膨出形状に応じて左方向へ移動し、上下に隣接する２つの微小突起部１３１ａの境界部位である凹部に振動検出器保持体１２の受振突部１２５がちょうど嵌まり込んだ状態（図６（ａ）と同じ状態）となる。
【００４０】
なお、本構成例においては、取付ベース部材１２１と振動検出器取付部材１２２との間に介在させた弾性部材１２４を「カバー部材内に収納された振動検出器取付部材を、当接面が受振開口部から突出する向きに押圧し、当接部材の振動変換部における凹部に当接面の受振突部が嵌合するよう付勢する復元付勢手段」として機能させるものとしたが、これに限らず、公知既存の常態復帰手法を如何様に用いても構わない。
【００４１】
このように、振動検出保持体１２が上方へ移動する場合には、当接部材１３における振動変換部１３１の凹凸に沿って振動検出器保持体１２の振動検出器取付部材１２２が左右方向へ移動しつつ上方へ移動する。また、当接部材１３に対して、振動検出器保持体１２が相対的に下方へ移動する場合も同様で、振動検出器取付部材１２２が左右方向へ移動することとなる。したがって、機枠２に対して前面枠３が上下方向に振動を与えられた場合でも、振動検出器保持体１２内の振動検出器１４には、振動検出器取付部材１２２の左右方向の揺れに変換された振動が伝わるため、上下方向に対する振動感度が鈍い機械式の振動検出器１４を用いても、遊技機１に対して加えられた縦方向の振動を良好に検出することが可能となる。
【００４２】
また、機枠２に対して前面枠３に横方向の振動（上下方向の振動を伴わない水平方向の振動）が加えられたとき、これを振動検出器１４は感度の良い横方向の振動として検出できる。特に、振動検出器保持体１２の当接面１２２ｂと当接部材１３の被当接面１３ａとは、前後方向の相対的移動を妨げない構造（本構成例においては、前後方向の突出量が均一な受振突起部１２５を、前後方向の突出量が均一となる微小突起部１３１ａを上下方向に連続的に配置して生ずる溝状の凹部に嵌入させることで、受振突起部１２５が凹部内で自由に前後動できるようにした構造）を採用することで、心無い遊技者が球貯留皿５ａを掴んで開閉部材５を前後方向にガタガタ揺するような振動を与えても、振動検出器１４によって的確に検出できるのである。
【００４３】
なお、微小突起部１３１ａの縦方向のサイズ（縦幅）としては、不正目的で遊技機１に縦方向の振動が与えられたときに、機枠２に対して前面枠３が相対的に上下動する平均的な移動量よりも小さく設定しておく必要がある。但し、微小突起部１３１ａの縦幅を小さくし過ぎると、微小突起部１３１ａにおける左右方向の突出量も抑制しなければならなくなるため、振動検出器取付部材１２２の左右方向の移動量が減ぜられて、結果的に振動検出器１４の検出感度に満たない可能性もあるので、これを考慮して適当な微小突起部１３１ａの縦幅を設定することが望ましい。また、微小突起部１３１ａは三角形状に限らず、例えば、半円弧状として、波形の凹凸が生ずる振動変換部１３１としても良い。
【００４４】
上記のように構成した振動変換手段を介して縦方向の振動を良好に検出できるようにした振動検出器１４からの検出信号は遊技機制御部にて種々の制御に利用できる。以下、本実施形態に係る遊技機１が備える遊技機制御部を説明する。
【００４５】
遊技機制御部は、主として遊技盤６に設けられた各種遊技装置（中央遊技装置８や第２変動入賞装置１０等）の制御を行う遊技制御装置として機能するメイン制御装置２１，排出発射制御装置として機能する第１サブ制御装置２２（発射装置２２ｂに対する動作制御を発射停止スイッチ２２ｃやタッチセンサ２２ｄからの入力に応じて行うと共に、排出装置２２ａの動作制御を行う装置），演出制御装置として機能する第２サブ制御装置２３（各所に設けた装飾用のランプやＬＥＤ等からなる装飾ランプ２３ａの点灯制御、スピーカ２３ｂからの演出音出力制御、中央遊技装置４８に設けた変動表示装置８２への表示制御などを行う装置）からなる。
【００４６】
上記メイン制御装置２１は、ＣＰＵ（Central Processing Unit）、ＲＯＭ（Read Only Memory）、ＲＡＭ（Random Access Memory）を有する遊技用マイクロコンピュータ２１ａ、入出力インターフェース２１ｂ、動作用クロック信号を生成して遊技用マイクロコンピュータ２１ａに供給する発振器２１ｃ、などを備えている。また、このメイン制御装置２１には、バックアップ電源２４ａを備える電源供給装置２４から停電時等にも電源供給され、ＲＡＭの記憶内容を保持できるようになっている。
【００４７】
また、上記メイン制御装置２１は、始動入賞口９１に設けた始動センサ９１ａからの検出信号、第１，第２一般入賞口９２，９３に設けた第１，第２入賞口センサ９２ａ，９３ａからの検出信号、第１変動入賞装置８１に設けた第１カウントセンサ８１ａからの検出信号、振分装置９３に設けた特別入賞センサ８３ａおよび残存球排出センサ８３ｂからの検出信号、第２変動入賞装置１０に設けた第２カウントセンサ１０ａからの検出信号が入出力インターフェース２１ｂを介して入力されると、これらの検出信号に基づいて遊技用マイクロコンピュータ２１ａが入出力インターフェース２１ｂを介して、第１変動入賞装置８１の第１開閉ソレノイド８１ａや振分装置８３の振分モータ８３ｃや第２変動入賞装置１０の第２開閉ソレノイド１０ｂへの駆動制御を行うことで、種々の条件に応じた遊技が行われる。また、遊技機１において遊技者に払い出した賞球数や遊技結果（補助遊技や第１，第２特別遊技の発生）等の情報は、外部出力端子２５から遊技機外へ出力され、当該遊技店の管理コンピュータ等で収集・管理される。
【００４８】
さらに、メイン制御装置２１と第２サブ制御装置２３には、前面枠３が機枠２に対して開放されたことを検出する枠開放検出センサ２６の検出信号と、上述した振動センサ１４の検出信号が入力される。枠開放検出センサ２６からの検出信号を受けた第２サブ制御装置２３は、前面枠３が閉止されていない旨を装飾ランプ２３ａや変動表示装置８２によって視覚的に報知したり、スピーカ２３ｂによって聴覚的に報知したりする。
【００４９】
また、振動検出器１４からの検出信号を受けた第２サブ制御装置２３は、遊技機１に振動を与えた事に対する警告を装飾ランプ２３ａや変動表示装置８２によって視覚的に報知したり、スピーカ２３ｂによって聴覚的に報知したりする。なお、球詰まり等の不具合を解消するために遊技店員が前面枠３を開放する場合もあるので、枠開放検出センサ２６が前面枠３の開放状態を検出しているときには、振動検出器１４の振動検出による報知動作を無効としても構わない。
【００５０】
更に、振動検出器１４による振動の検出に対しては、悪質な振動不正が行われた可能性もあるので、これを考慮して、警告に止まらないペナルティを遊技者に課するような制御を行うこともできる。例えば、第１変動入賞装置８１が第１状態から第２状態に変換して補助遊技が行われ、第１カウントセンサ８１ａが検出されてから、この球が全て振分装置８３で特別入賞または一般入賞に振り分けられた後に残存球排出センサ８３ｂで検出されるまでの間、振動検出器１４による振動検出を有効とし、この間に振動検出器１４がＯＮとなった場合には、振分装置８３による入賞球の振分に対して振動不正を行った蓋然性が高いので、その旨を報知（装飾ランプ２３ａや変動表示装置８２やスピーカ２３ｂによる報知、或いは外部出力端子２５を介して遊技店の管理装置へ不正検出情報の出力）したり、この振動検出の後に第１特別遊技移行条件（振分装置３による特別入賞球の振分）が成立しても、これを無効として、第１特別遊技を行わせないようにしても良い。
【００５１】
上述した第１実施形態に係る遊技機１においては、機枠２に設けた当接部材１３と前面枠３の裏機構枠３１に設けた振動検出器保持体１２とで振動変換手段を構成するものとしたが、これに限定されるものではなく、振動不正によって相対的に縦方向に振動する２つの部位に振動検出器保持体１２と当接部材１３とを設けることができれば、縦方向の振動を横方向の振動（左右方向に限らず、水平面内での直線振動）に変換して振動検出器１４を振動させることが可能である。但し、振動検出器保持体１２と当接部材１３との相対的な移動量を大きくできる方が、振動検出器１４による検出感度を向上させるのには有効である。そこで、図８および図９に基づいて、振動検出器保持体１２と当接部材１３との相対的な移動量を大きくできる振動変換手段を備える第２実施形態の遊技機１′を説明する。
【００５２】
遊技機１′においては、遊技に供する遊技球を貯留する球貯留皿５ａを備えた開閉部材５′の軸着側裏面に振動検出器保持体取付部材１５を設け、この振動検出器保持体取付部材１５の左側面である取付面１５ａに振動検出器保持体１２の取付ベース部材１２１を取り付け、この振動検出器保持体１２が取り付けられた部位に対応する遊技盤本体の適所（例えば、前面枠３に遊技盤６を取り付ける際に遊技盤６の下面が載置される遊技盤支持部材３２の軸着側）には振動検出器保持体導入開口３２ａを開設し、開閉部材５を閉止した前面枠３を機枠２に閉止すると、遊技盤支持部材３２に設けた振動検出器保持体導入開口３２ａを介して振動検出器保持体１２が前面枠３の裏面側に臨む。そして、機枠２の左縦板材２ａの内面（右側面）に設けた当接部材１３の被当接面１３ａに振動検出器保持体１２の当接面１２２ｂを当接させるようにしておくのである。
【００５３】
本実施形態の遊技機１′の如く振動変換手段を構成すると、遊技者が衝撃を与える可能性の高い開閉部材５に振動検出器保持体１２を設けることで、開閉部材５に与えられた振動が振動検出器保持体取付部材１５を介して振動検出器保持体１２へ効率良く伝達され、振動検出器保持体１２の当接面１２２ｂと当接部材１３の当接面１３ａとの相対的な移動量を大きく取りやすいという利点がある。
【００５４】
しかも、開閉部材５を開閉する蝶番機構のためにヒンジ軸がヒンジ孔に対して上下動できるよう前面枠本体には遊び（寸法上の余裕）が設けられ、同じく、前面枠３を開閉する蝶番機構ためにヒンジ軸がヒンジ孔に対して上下動できるよう機枠２にも遊びが設けられているため、機枠２に対して前面枠３が上下動できることに加えて前面枠本体に対して開閉部材５が上下動できる。例えば、開閉部材５の球貯留皿５ａを上へ押し上げるような振動を加えられた場合、遊びの分だけ開閉部材５が前面枠本体に対して上方移動すると共に、遊びの分だけ前面枠３自体も機枠２に対して上方移動する可能性があるので、当接部材１３を設けた機枠２に対して、振動検出器保持体１２を設けた開閉部材５の移動量が相対的に大きくなので、開閉部材５に与えられた縦方向の振動に対する振動検出器１４の感度を一層高めることができる。
【００５５】
以上本発明をいくつかの実施形態に基づき具体的に説明したが、本明細書で開示された実施の形態は全て例示であって、開示された技術に限定されるものではないと考えるべきである。すなわち、本発明の技術的な範囲は、上記の各実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００５６】
【図１】第１実施形態に係る遊技機（透明部材保持枠を開いた状態）の正面図である。
【図２】振動変換手段の取付状態を示す遊技機裏面の斜視図である。
【図３】振動検出器保持体と当接部材の斜視図である。
【図４】振動検出器保持体の分解斜視図である。
【図５】振動検出器の原理説明図である。
【図６】振動変換手段の原理説明図である。
【図７】遊技機制御部のブロック図である。
【図８】第２実施形態に係る遊技機（遊技盤を外して透明部材保持枠と開閉部材を開いた状態）の前面側斜視図である。
【図９】開閉部材の裏面側斜視図である。
【符号の説明】
【００５７】
１    遊技機
２    機枠
３    前面枠
６    遊技盤
１２    振動検出器保持体
１３    当接部
１４    振動検出器
【図１】
0004443519.tif 000002
【図２】
0004443519.tif 000003
【図３】
0004443519.tif 000004
【図４】
0004443519.tif 000005
【図５】
0004443519.tif 000006
【図６】
0004443519.tif 000007
【図７】
0004443519.tif 000008
【図８】
0004443519.tif 000009
【図９】
0004443519.tif 000010